(57)【要約】【課題】筐体内部から外方に露出する表示装置を備えた電子機器において、信頼性の高い表示装置の静電気対策及び防塵対策が可能な電子機器を提供できるようにする。【解決手段】開口部２１ｂを有する筐体３と、該開口部２１ｂを覆うように固着された透光板１０と、前記筐体３内部に前記開口部２１ｂから外方に向けて表示面８ａ側を露出させて固定された表示装置８と、少なくとも前記表示装置８と前記筐体３の内面２１ａとの間に配置され、スリット３１を備えた板金部材１３と、該板金部材１３と前記筐体３の内面２１ａとの間又は前記板金部材１３と前記表示装置８との間に配置された弾性変形可能な緩衝材１５とを有することを特徴とする電子機器を提供する。【選択図】      図４
2004354731.tif 000002
【特許請求の範囲】
【請求項１】
開口部を有する筐体と、該開口部を覆うように固着された透光板と、前記筐体内部に前記開口部から外方に向けて表示面側を露出させて固定された表示装置と、少なくとも前記表示装置と前記筐体内面との間に配置され、スリットを備えた板金部材と、該板金部材と前記筐体内面との間又は前記板金部材と前記表示装置との間に配置された弾性変形可能な緩衝材とを有することを特徴とする電子機器。
【発明の詳細な説明】
【０００１】
【発明の属する技術分野】
この発明は、筐体内部に設けられると共に外方に露出する表示装置を備えた携帯電話機、ＰＤＡ（Ｐｅｒｓｏｎａｌ  Ｄｉｇｉｔａｌ  Ａｓｓｉｓｔａｎｔｓ）等の電子機器に関する。
【０００２】
【従来の技術】
一般に、情報を表示する手段を備えた電子機器は、筐体に形成された開口部から外方に表示面を露出させる液晶表示装置等の表示装置を備えている（例えば、特許文献１参照。）。これら表示装置は静電気により誤動作を起こしたり、故障し易いため、従来では、導電性材料からなる薄板状の板金部材を表示装置に近接させて配すると共に、この板金部材を筐体内部に配した回路基板のグランドパターンに接続している。これにより、外部からの静電気を回路基板のグランドパターンに逃がして表示装置が静電気を帯びることを防止している。この板金部材は、例えば、図５に示すように、表示装置５１と筐体５３の内面５３ａとの間に挟み込まれて固定されている。
【０００３】
【特許文献１】
特開２００３−１８２６４号公報
【０００４】
【発明が解決しようとする課題】
ところで、上記の電子機器においては、筐体５３を構成するフロントケースと利やケースとの嵌合部や筐体５３に形成された隙間より筐体５３内部に塵や埃等の異物が侵入することがある。
また、表示装置５１と板金部材５５との間、及び、板金部材５５と筐体５３との間には微小な隙間が生じるため、筐体５３内に侵入した前記異物が前記微小隙間より表示装置５１と、筐体５３の開口部に設けられた透光板との間に入り込み、表示面が視認し難くなるといった課題があった。
そこで、従来ではこれらの微小な隙間を埋めるために、表示装置５１と板金部材５５との間、及び、板金部材５５と筐体５３の内面５３ａとの間に弾性変形可能なスポンジ状の緩衝材を挟み込むことにより、塵埃や液体の侵入防止を図っている。
しかしながら、いずれか一方の隙間のみに緩衝材を介在させたものでは、異物の侵入を十分に防ぐことができず、逆に各微小な隙間にそれぞれ緩衝材を介在させたのでは、筐体５３の内面５３ａと表示装置５１との間が大きくなり、２つの緩衝材を配置するためのスペースを作るためには筐体５３の厚みを大きくしなければならず、小型化が要求されている電子機器にとって不都合があると共に、緩衝材の使用量が増え、製造コストが増加するといった課題があった。
【０００５】
この発明の目的は、上述した事情に鑑みてなされたもので、信頼性の高い表示装置の静電気対策及び防塵対策が可能な電子機器を提供することにある。
【０００６】
【課題を解決するための手段】
上記課題を解決するために、この発明は以下の手段を提案している。
即ち、本発明の電子機器は、開口部を有する筐体と、該開口部を覆うように固着された透光板と、前記筐体内部に前記開口部から外方に向けて表示面側を露出させて固定された表示装置と、少なくとも前記表示装置と前記筐体内面との間に配置され、スリットを備えた板金部材と、該板金部材と前記筐体内面との間又は前記板金部材と前記表示装置との間に配置された弾性変形可能な緩衝材とを有することを特徴とする
【０００７】
本発明に係る電子機器によれば、板金部材を筐体内面と表示装置との間に挟み込むと共に、板金部材と、筐体内面若しくは表示装置のいずれか一方との隙間に緩衝材を挟み込んだ状態においては、緩衝材が弾性変形して板金部材に形成されたスリットを介して他方の隙間に入り込み、筐体内面又は板金部材に当接することになる。
その為、筐体内面又は表示装置と板金部材との間に微小な隙間が存在していても、緩衝材によって両隙間を埋めることができ、筐体内面と表示装置との間を大きくすることなく、筐体内に侵入した塵や埃等の異物が表示装置と透光板との間に入り込むことを効果的に防止することができる。
また、板金部材を筐体内に配置される回路基板のグランドパターンに接続することで、表示装置やその周囲に帯電した静電気を逃がすこともできる。
【０００８】
【発明の実施の形態】
図１から図４はこの発明に係る一実施形態を示す。ここで説明する実施の形態は、この発明を携帯電話機に適用した場合のものである。図１に示すように、この実施の形態に係る携帯電話機（電子機器）１は、第１の筐体２と第２の筐体３とをヒンジ部４により互いに折り畳み自在に連結してなるものである。
第１の筐体２の内部には通話キー、終話キー等の各種の操作キー５及びマイクロフォン部６が設けられており、これらは、折り畳んだ際に第２の筐体３と対向する第１の筐体２の対向面７側に露出している。第２の筐体３の内部には、液晶表示装置等の表示装置８及びスピーカー部９が設けられており、表示装置８の表示面８ａおよびスピーカー部９は、折り畳んだ際に第１の筐体２と対向する第２の筐体３の対向面１１側に露出している。
【０００９】
表示装置８は、基地局と携帯電話機１との通信状態、メールの文章等の各種情報を表示するためのものであり、平面視略矩形状に形成されている。また、マイクロフォン部６およびスピーカー部９は、第１、第２の筐体２，３を相互に開いた状態にてアンテナ（図示せず）を介して、無線通話を行ったり、音楽再生や音声録音時に使用するものである。
第２の筐体３の内部には、図２に示すように、表示装置８の他に、板金部材１３、緩衝材１５及び回路基板１７が設けられている。これら板金部材１３、緩衝材１５、表示装置８、回路基板１７は、第２の筐体の対向面１１を構成するフロントケース２１の内面２１ａに順次積み重ねられている。なお、フロントケース２１の内面２１ａは、対向面１１の反対側に位置する面を指し示している。
【００１０】
このフロントケース２１には、その内面２１ａ側から対向面１１側に貫通する平面視略矩形状の開口部２１ｂが形成されており、この開口部２１ｂは、表示装置８の表示面８ａを外方に露出させるためのものである。なお、フロントケース２１には、開口部２１ｂを覆う透光板１０を固着してあり、表示装置８の表示面８ａを保護するようになっている。
また、このフロントケース２１の内面２１ａ側には、厚さ方向に突出する複数の突出壁部２３が形成されている。これら突出壁部２３は、フロントケース２１の内面２１ａに板金部材１３を配した状態において、板金部材１３や表示装置８がフロントケース２１の厚さ方向に直交する方向に移動しないように設けられている。即ち、これら突出壁部２３は、フロントケース２１の内面２１ａと共に、板金部材１３や表示装置８を収容する収容部を構成している。
【００１１】
板金部材１３は、静電気を回路基板１７のグランドパターン（図示せず）に逃がして表示装置８が帯電することを防止するものであり、薄板状の導電性材料にプレス加工を施して、表示装置８を収容可能に形成したものである。即ち、板金部材１３は、平面視略矩形状の底壁部２７と、この底壁部２７の周囲に直立して形成された複数の側壁部２９とを備えており、これら側壁部２９により板金部材１３に対する表示装置８の位置決めができるようになっている。
板金部材１３の底壁部２７には、フロントケース２１の開口部２１ｂと略同形の平面視略矩形状をした貫通孔２７ａが形成されており、この貫通孔２７ａは、表示装置８の表示面８ａを外方に露出させるためのものである。また、図３に示すように、底壁部２７には、貫通孔２７ａを囲繞するように複数のスリット３１が周方向に渡って形成されている。
また、互いに対向して配された一対の側壁部２９，２９には、それぞれ接続端子３５，３７が一体的に形成されており、これら接続端子３５，３７は、回路基板１７のグランドパターンに接続するものである。
【００１２】
図２に示すように、緩衝材１５は、ウレタン等からなる弾性係数の小さいスポンジ状の材料を平面視略矩形状の薄板状に形成したものである。この緩衝材１５には、平面視略矩形状の貫通孔１５ａが形成されている。この貫通孔１５ａは、フロントケース２１や板金部材１３に形成された開口部２１ｂや貫通孔２７ａと略同形を成し、表示装置８の表示面８ａを外方に露出させるためのものである。回路基板１７は、各種の電子部品を複数搭載してなるものであり、表示装置８、操作キー５、マイクロフォン部６及びスピーカー部９と電気的に接続されている。
【００１３】
これら板金部材１３、緩衝材１５、表示装置８及び回路基板１７を、図４に示すように、フロントケース２１の内面２１ａに順次積み重ねた状態においては、板金部材１３が、フロントケース２１の内面２１ａおよび突出壁部２３に当接し、フロントケース２１に対して位置決めされることになる。また、緩衝材１５が板金部材１３の底壁部２７に当接し、板金部材１３に対して位置決めされる。さらに、表示装置８は、その表示面８ａの周縁部が緩衝材１５に当接すると共に、表示面８ａ側に隣接する側面８ｃが板金部材１３の側壁部２９に当接して板金部材１３に対して位置決めされることになる。
そして、回路基板１７は、表示装置８の表示面８ａの反対側に位置する背面８ｂに当接すると共に、フロントケース２１の内面２１ａに向けて付勢されている。即ち、フロントケース２１の突出壁部２３の先端部には、回路基板１７に係合する係止部４１が複数形成されている。そして、この係止部４１が、回路基板１７に係合している状態においては、回路基板１７をフロントケース２１の内面２１ａに向けて押さえつけている。
【００１４】
この係止部４１による付勢力は、表示装置８と板金部材１３とにより挟み込まれた緩衝材１５を弾性変形させて板金部材１３のスリット３１に挿入させている。この状態においては、緩衝材１５が、スリット３１を通じてフロントケース２１の内面２１ａにも当接することになる。したがって、板金部材１３と表示装置８の表示面８ａ及びフロントケース２１の内面２１ａとの間にそれぞれ微小な隙間が存在していても、この緩衝材１５によって双方の隙間が埋められることになる。
なお、スリット３１を介してフロントケース２１の内面２１ａに緩衝材１５を確実に当接させるためには、板金部材１３を薄く形成しておくことが好ましく、その厚さ寸法を０．０４ｍｍ〜０．１ｍｍとすることが特に好ましい。
即ち、板金部材１３の厚みが０．１ｍｍより大きくなると、スリット３１の深さが深くなり、緩衝材１５を弾性変形させて前記スリット３１より突出させるためには、緩衝材１５の厚みを厚くしなければならず、また、表示装置８を大きな付勢力でフロントケース２１の内面２１ａへ押し付けなければならなくなるからであり、逆に板金部材１３の厚みが０．０４ｍｍより小さくなると、付勢力によって破断し易くなるからである。
【００１５】
上記のように、この携帯電話機１によれば、板金部材１３により表示装置８の帯電を防止することができる。また、板金部材１３にスリット３１を形成しておくことにより、１つの緩衝材１５により板金部材１３と表示装置８及びフロントケース２１の内面２１ａとの各隙間を埋めることができるため、第２の筐体３内部に侵入した塵や埃等の異物が透光板１０と表示装置８との間に入り込むことを防止できる。
したがって、ユーザーは常にクリアな表示面８ａを視認することができると共に、静電気対策を行うことができるというように、信頼性の高い携帯電話機１を提供できると共に、携帯電話機１の製造コスト増加を抑えることができる。
【００１６】
なお、上記の実施の形態においては、緩衝材１５を表示装置８と板金部材１３との間に挟み込むとしたが、これに限ることはなく、例えば、板金部材１３とフロントケース２１との間に挟み込んでも構わない。この構成の場合には、表示装置８、板金部材１３及び緩衝材１５をフロントケース２１の内面２１ａに押さえつけた状態において、緩衝材１５が板金部材１３のスリット３１を介して表示装置８の表示面８ａ周縁とも当接するため、本実施形態と同様にして、板金部材１３と表示装置８及びフロントケース２１の内面２１ａとの各隙間を埋めることができる。
また、緩衝材１５は、スポンジ状の材料から形成されるとしたが、これに限ることはなく、少なくとも容易に弾性変形可能な弾性体から形成されていればよい。即ち、例えば、緩衝材１５をゴムから形成するとしても構わない。
【００１７】
さらに、２つの筐体が互いに折り畳み自在に連結された携帯電話機１に限ることはなく、ＰＤＡ（Ｐｅｒｓｏｎａｌ  Ｄｉｇｉｔａｌ  Ａｓｓｉｓｔａｎｔｓ）やノートパソコンのように、２つの筐体を連結手段により互いに開閉自在に連結した電子機器であればよい。
また、電子機器は、２つの筐体を有することに限ることはなく、例えば、本実施形態の構造を有する１つの筐体から構成されていても構わない。
【００１８】
以上、本発明の実施形態について図面を参照して詳述したが、具体的な構成はこの実施形態に限られるものではなく、本発明の要旨を逸脱しない範囲の設計変更等も含まれる。
【００１９】
【発明の効果】
以上説明したように、本発明によれば、筐体内に侵入した塵や埃等の異物が透光板と表示装置との間に入り込むことを防止できるため、常にクリアな表示面を視認することができると共に、異物の侵入を防止する緩衝材が１つで済むため、電子機器の製造コストの増加を抑えることができる。
また、板金部材を回路基板のグランドパターンに接続することで表示装置の帯電を防止することもできる。
【図面の簡単な説明】
【図１】この発明の実施形態に係る電子機器において、第１の筐体と第２の筐体とを相互に開いた状態を示す平面図である。
【図２】図１の電子機器において、第２の筐体内部に配される回路基板、表示部、緩衝材及び板金部材を示す分解斜視図である。
【図３】図１の電子機器において、表示部に取り付けられる板金部材であり、（ａ）は、平面図を示しており、（ｂ）は、（ａ）のＡ−Ａ矢視断面図である。
【図４】図１の電子機器において、回路基板、表示部、緩衝材及び板金部材がフロントケースの内面に押さえつけられている状態を示す拡大断面図である。
【図５】従来の電子機器の一例を示す要部拡大断面図である。
【符号の説明】
１  携帯電話機（電子機器）
３  第２の筐体
８  表示装置
８ａ  表示面
１０  透光板
２１ａ  内面
２１ｂ  開口部
１３  板金部材
１５  緩衝材
１７  回路基板
３１  スリット
【図１】
2004354731.tif 000003
【図２】
2004354731.tif 000004
【図３】
2004354731.tif 000005
【図４】
2004354731.tif 000006
【図５】
2004354731.tif 000007